(57)【要約】【課題】公衆衛生環境上及び生活環境上の問題を生じさせず、より通気性を高めて悪臭を発生させずに生ごみを保管し、排出及び廃棄することができるとともに、ユーザの使用に際してより使い勝手のよい生ごみ容器を提供すること。【解決手段】外容器２と外容器２に収容される内容器３とからなる生ごみ容器１において、外容器２は底板５と側板６を有し、側板６の大部分は格子状に形成された通気部８が形成されており、通気部８の格子と格子の間に形成される隙間は、害虫が侵入することができない程度の大きさである。内容器３は、通気部８に対して配置されかつ離れるように形成された逆円錐台状の通気部１１を有しており、内容器３及び外容器２は、内容器３と外容器２の両方の上部を覆い、密着して固定される蓋４を備えている。【選択図】図１                                                          
2005270712.tif 000002
【特許請求の範囲】
【請求項１】
外容器と前記外容器に収容される内容器とからなる生ごみ容器において、
前記外容器は底板と側板を有し、前記側板は通気部を有すとともに、一部に底部側板と上部側板とを有し、前記内容器は通気部を有しており、前記各通気部は格子状であることを特徴とする生ごみ容器。
【請求項２】
前記外容器の前記通気部は、目の細かい格子状に形成されており、格子と格子の間に形成される隙間は害虫が侵入することができない程度の大きさであることを特徴とする請求項１に記載の生ごみ容器。
【請求項３】
前記内容器の前記通気部は逆円錐台状に形成されていることを特徴とする請求項１または２に記載の生ごみ容器。
【請求項４】
前記内容器の前記通気部は前記外容器の前記通気部に対して離れるよう配設されていることを特徴とする請求項１から３のいずれか一項に記載の生ごみ容器。
【請求項５】
前記内容器は前記外容器より高さ寸法が小さく形成され、前記内容器の前記通気部は前記外容器の前記通気部に対応するように配置されていることを特徴とする請求項１から４のいずれか一項に記載の生ごみ容器。
【請求項６】
前記内容器及び前記外容器は、前記内容器及び前記外容器の両方の上部を覆う蓋が備えられており、前記蓋は前記外容器あるいは前記内容器のいずれか一方、あるいは両方に密着して固定されることを特徴とする請求項１から５のいずれか一項に記載の生ごみ容器。
【発明の詳細な説明】
【技術分野】
【０００１】
本発明は、生ごみ容器に係り、特に、通気的環境で生ごみを保管、排出及び廃棄するための生ごみ容器に関するものである。
【背景技術】
【０００２】
近年、生ごみの循環利用が社会問題として注目されており、一般家庭から排出される生ごみを収集し、コンポストプラントにおいて好気性細菌により生ごみを分解発酵させて行われる堆肥の生産に取り組む自治体が増えている。このような家庭系生ごみを資源として取り扱い、生ごみの循環利用させていくうえで問題となるのは、各家庭において悪臭を出さず、かつ、ごみの分別の精度を高めて生ごみの排出を行わせることであった。
また、これらの問題は、一般家庭から廃棄される生ごみを可燃ごみとして取り扱い、生ごみの収集を行っていくうえでも問題となっていた。そのため、従来、生ごみを資源あるいは可燃ごみとして回収を行う自治体では、各家庭において生ごみを1)蓋付き容器、2)紙袋、3)プラスチック袋、4)生分解性プラスチック袋を使用させて保管させ、生ごみ集積所に排出及び廃棄させており、各家庭での生ごみの保管、排出及び廃棄方法の指導を行っていた。
【０００３】
しかしながら、これらの容器及び袋の使用による生ごみの保管、排出及び廃棄させる方法は、程度に差はあるものの、いずれも生ごみを密閉された生ごみ容器及び袋に収容させるものであり、生ごみの保管中に、その内部を嫌気性細菌の好む嫌気的環境の状態にさせ、好気性細菌の活動による発酵を抑制して、嫌気性細菌の活動により生ごみを分解させる腐敗が行われていた。このため、腐敗臭である悪臭を発生させるとともに、ねずみやハエ等の人に病気を媒介するような野生動物や衛生害虫等を発生させたり、健康に有害な細菌類や黴類の発生ならびに胞子の発散等を生じさせて、公衆衛生環境上の問題を生じさせていた。また、同時に悪臭により発生した野生動物のうち、特にカラスにおいては、各家庭から生ごみ集積所に排出及び廃棄された生ごみを荒らす等、生活環境を悪化させる問題も生じさせていた。
【０００４】
これらを改善させる為に、従来では、生ごみ容器の内部を通気的環境にさせて、家庭での生ごみの保管中に嫌気性細菌による腐敗を防ぐような生ごみ容器が使用されていた。
【０００５】
例えば、特許文献１に示すような、全面に穴あけ部を設けて通気性を有する内容器と、通気性を有し内容器を覆う外容器とを組み合わせて生ごみの堆肥化を行う容器があげられる。なお、この容器は移動しやすい稼動式に構成されていないものである。
【０００６】
また、特許文献２では、底部材と、側壁部材と、開放可能な天蓋部材と、少なくとも一つの通気口とからなる外容器と、容器の側壁に対して間隔をおいて容器の内側に配置された２つの側部格子部材と、容器の底板に対して距離をおいて配置された底部格子部材とからなる内容器とを備え、内容器の各格子部材とこれに隣接する外容器の側壁との間に形成された内側空間を少なくとも１つの通気口を介して結合するとともに、底部格子部材は互いに対向する側部格子部材に回動可能に取り付けられている容器があげられる。なお、この容器は、内容器と外容器の取り外しが容易に行えるように構成されていないものである。
【０００７】
このように、特許文献１及び特許文献２に示す生ごみ容器はいずれも内容器と外容器を組み合わせた二重構造の容器であり、通気性を有するように設計されることで、悪臭を発生させる嫌気性細菌による生ごみの腐敗を抑えながら好気性細菌による生ごみの発酵を促して容器内において生ごみの堆肥化を試みているものである。
【特許文献１】特開２００１−１９８５５８号公報
【特許文献２】特許第３４１８１７８号公報
【発明の開示】
【発明が解決しようとする課題】
【０００８】
しかしながら、特許文献１においては、生ごみを通気的環境に保管し、生ごみを悪臭を発生させずに保管させたり、堆肥化させるのに好適であり、生ごみを荒らされるような生活環境を悪化させる問題を生じさせないものではあるが、内容器の底部あるいは側部に設けられた穴あけ部から害虫の侵入あるいは産卵により生ごみ容器の内部で害虫を大量発生させてしまうといった公衆衛生環境上の問題が生じる可能性がある。また、生ごみ容器の移動が容易にできず、生ごみ収集時等、ユーザの使用に際して不都合を生じさせていた。
【０００９】
また、特許文献２においては、外容器に通気口を設けて、通気口に防虫ネットを張ることで害虫の侵入及び内容器の内部への産卵を妨げて公衆衛生環境上の問題を生じさせるのを防ぐことを可能にしている。そのため、通気性を確保して生ごみを堆肥化させることも可能であるが、生ごみが空気に直接接触しない内容器の内部中央部においては通気性が不十分であり、生ごみが貯まると悪臭を発生させてしまう。また、内容器を容易に取り外すことができず、生ごみ容器の清掃時等、ユーザの使用に際して不都合を生じさせていた。
【００１０】
また、近年、悪臭により発生した野生動物による生活環境を悪化させる問題は深刻化しており、通気的環境で悪臭を低下させながら保管し、ごみ収集時に排出することは、資源として生ごみを排出する際に重要であるだけでなく、可燃ごみとして廃棄する際にも上記した問題を解決するために重要な対策であった。
【００１１】
そこで、本発明は上記した点を鑑みてなされたものであり、公衆衛生環境上及び生活環境上の問題を生じさせず、より通気性を高めて悪臭を発生させずに生ごみを保管し、排出することができるとともに、ユーザの使用に際してより使い勝手のよい生ごみ容器を提供することを目的とするものである。さらに、本発明は生ごみを資源として排出するだけでなく、可燃ごみとして生ごみを廃棄することも目的とするものである。
【課題を解決するための手段】
【００１２】
前記課題を解決するため、請求項１に記載の発明に係る生ごみ容器は、
外容器と前記外容器に収容される内容器とからなる生ごみ容器において、
前記外容器は底板と側板を有し、前記側板は通気部を有すとともに、一部に底部側板と上部側板とを有し、前記内容器は通気部を有しており、前記各通気部は格子状であることを特徴とする。
【００１３】
請求項１に記載の発明によれば、外容器と前記外容器に収容される内容器とからなる生ごみ容器において、
前記外容器は底板と側板を有し、前記側板は通気部を有すとともに、一部に底部側板と上部側板とを有し、前記内容器は通気部を有しており、前記各通気部は格子状であるので、外容器の側板の一部に通気部を形成させる場合に比べ、生ごみ容器の内部全体において通気性をより高めることができる。
【００１４】
請求項２に記載の発明に係る生ごみ容器は、
請求項１において、
前記外容器の前記通気部は、目の細かい格子状に形成されており、格子と格子の間に形成される隙間は害虫が侵入することができない程度の大きさであることを特徴とする。
【００１５】
請求項２に記載の発明によれば、前記外容器の前記通気部は、目の細かい格子状に形成されており、格子と格子の間に形成される隙間は害虫が侵入することができない程度の大きさであるので、生ごみ容器の内部への害虫の侵入を防ぎつつ、生ごみ容器の内部全体において通気性を図ることができる。
【００１６】
請求項３に記載の発明に係る生ごみ容器は、
請求項１または２において、
前記内容器の前記通気部は逆円錐台状に形成されていることを特徴とする。
【００１７】
請求項３に記載の発明によれば、前記内容器の前記通気部は逆円錐台状に形成されているので、内容器の内部に生ごみを収容させていく際に、生ごみが溜まりやすい下方中央部においても生ごみが空気と触れやすく、通気性を図ることができる。
【００１８】
請求項４に記載の発明に係る生ごみ容器は、
請求項１から３のいずれか一項において、
前記内容器の前記通気部は前記外容器の前記通気部に対して離れるよう配設されていることを特徴とする。
【００１９】
請求項４に記載の発明によれば、前記内容器の前記通気部は前記外容器の前記通気部に対して離れるよう配設されているので、外容器の通気部に害虫が卵管を刺して産卵した場合においても、前記内容器の内部にあり卵の栄養源となる生ごみに直接卵を産み付けることを防止することができる。
【００２０】
請求項５に記載の発明に係る生ごみ容器は、
請求項１から４のいずれか一項において、
前記内容器は前記外容器より高さ寸法が小さく形成され、前記内容器の前記通気部は前記外容器の前記通気部に対応するように配置されていることを特徴とする。
【００２１】
請求項５に記載の発明によれば、前記内容器は前記外容器より高さ寸法が小さく形成され、前記内容器の前記通気部は前記外容器の前記通気部に対応するように配置されているので、前記底板および前記底部側板により形成される空間に内容器から排出される水分を貯めることができるとともに、前記内容器の前記通気部の底部はこの空間に接することがない。
【００２２】
請求項６に記載の発明に係る生ごみ容器は、
請求項１から５のいずれか一項において、
前記内容器及び前記外容器は、前記内容器及び前記外容器の両方の上部を覆う蓋が備えられており、前記蓋は前記外容器あるいは前記内容器のいずれか一方、あるいは両方に密着して固定されることを特徴とする。
【００２３】
請求項６に記載の発明によれば、前記内容器及び前記外容器は、前記内容器及び前記外容器の両方の上部を覆う蓋が備えられており、前記蓋は前記外容器あるいは前記内容器のいずれか一方、あるいは両方に密着して固定されるので、生ごみ容器内部に害虫の侵入及び産卵を防ぐことができるとともに、生ごみ容器の内部に収容された生ごみを風や野生動物等により生ごみ容器周囲へ散乱させるのを防ぐことができる。
【発明の効果】
【００２４】
請求項１に記載の発明によれば、外容器の側板の一部に通気部を形成させる場合に比べ、生ごみ容器の内部全体において通気性をより高めることができるので、生ごみの嫌気性細菌による発酵を防ぐことができる。従って、より確実に悪臭の発生を低下させながら生ごみの保管を行うことができる。また、生ごみ容器を使用して生ごみを堆肥に変化させる場合においても、効率よく生ごみを発酵させて堆肥に変化させることができる。
【００２５】
請求項２に記載の発明によれば、生ごみ容器の内部への害虫の侵入を防ぎつつ、生ごみ容器の内部全体において通気性を図ることができるので、害虫の発生等による公衆衛生上の問題を生じさせずに悪臭の発生を低下させることができる。
【００２６】
請求項３に記載の発明によれば、内容器の内部に生ごみを収容させていく際に、生ごみが溜まりやすい下方中央部においても生ごみが空気と触れやすく、通気性を図ることができるので、生ごみが溜まりやすい下方中央部においても悪臭の発生を低下させることができる。
【００２７】
請求項４に記載の発明によれば、外容器の通気部に害虫が卵管を刺して産卵した場合においても、前記内容器の前記通気部は前記外容器の前記通気部に対して離れるように配設されて、前記内容器の内部にあり卵の栄養源となる生ごみに直接卵を産み付けることを防止することができるので、生ごみ容器の内部で害虫を発生させることを防止することができ、公衆衛生上の問題を生じさせるのを防ぐことができる。
【００２８】
請求項５に記載の発明によれば、前記底板および前記底部側板により形成される空間に内容器から排出される水分を貯めることができるとともに、前記内容器の前記通気部はこの空間に接することがないので、生ごみを内容器に収容する際に、内容器に収容された生ごみが、外容器のこの空間に貯められた水に接することがなく、嫌気性細菌による発酵を防止することができ、悪臭の発生を防ぐことができる。
【００２９】
請求項６に記載の発明によれば、生ごみ容器内部に害虫の侵入及び産卵を防ぐことができるとともに、生ごみ容器の内部に収容された生ごみを風や野生動物等により生ごみ容器周囲へ散乱させるのを防ぐことができるので、生ごみ容器の内部で害虫の発生等による公衆衛生上の問題や生活環境を悪化させる問題が生じるのを防ぐことができる。
【発明を実施するための最良の形態】
【００３０】
以下、本発明の具体的な実施形態を図１から図４を参照して説明する。ただし、発明の範囲を図示例に限定するものではなく、本発明の要旨を逸脱しない範囲内において種々変更を加え得ることは勿論である。
【００３１】
図１は、本発明に係る生ごみ容器１の実施の一形態を示したもので、本実施形態による生ごみ容器１は、図１及び図２に示すように、地面に設置した際に安定感のある円柱状に形成された外容器２を有している。
【００３２】
外容器２は、側板６を有しており、側板６には、側板６の大部分を占めるように目の細かい格子状の部材からなる通気部８が形成されており、外容器２の内部に通気性を保たせるようになっている。また、通気部８の格子と格子の間に形成される隙間は、外部から害虫を侵入させることができない程度の大きさになっている。
【００３３】
また、側板６のうち、通気部８の下部には底部側板７が形成され、底部側板７の下端部には、外容器２の底部をなし、底部側板７と一体形成された底板５が形成されている。底板５の上面と底部側板７の内部周面により形成される空間には貯水部１７が形成され、生ごみを生ごみ容器１に収容した際に生ごみに付着している水分や生ごみから染み出された水分を外容器２の外に漏らさないように保持することができるようになっているとともに、外容器２の内部を適度な湿度に保つことで好気性細菌が活動しやすい環境にさせるようになっている。
【００３４】
また、側板６のうち、通気部８の上部には上部側板９形成され、上部側板９の外部側周面には、把手１０が回動自在に設けられている。把手１０は、生ごみ収集時等、ユーザが生ごみ容器１を移動する際に移動しやすいように形成されているものである。
【００３５】
また、外容器２の材質は、金属やプラスチック樹脂等から形成されており、外容器の側板のほぼ全域にわたって通気部が形成されているにも関わらず、外容器２が撓んだり、野生動物に生ごみ容器１の内部に収容された生ごみを荒らされることがないようになっている。
【００３６】
このように形成される外容器２の内部には、図１及び図３に示すように内容器３が収容されている。内容器３の高さ寸法は、外容器２の貯水部１７に、内容器３の底部が接しないように外容器２よりも小さく形成されており、貯水部１７に貯まった水分が内容器３の内部の生ごみと接触しないようになっている。
【００３７】
内容器３には、その上部に外容器２の上部側板９の内部側周面に密着するように上部側板１２が形成されているとともに、この上部側板１２の上部先端を折り返して、外容器２の上部側板９の外周面に密着して下方に延在するように形成されて外容器２に保持させる保持部材１３が形成されている。この内容器３に形成された保持部材１３及び上部側板１２を外容器の上部側板９に挟持させることで、内容器３は外容器２に嵌合して、外容器２に確実に密着しながら保持されるようになっている。
【００３８】
上部側板１２の下部には、外容器２の通気部８に対応するように配置されて形成された通気部１１が形成されている。通気部１１は、外容器２の通気部８と同程度の目の粗さか、あるいはそれより目の粗い格子状をなす格子部材から形成されており、通気部１１は生ごみを保持させるようになっているとともに、万が一、水きりが行われていない生ごみが内容器３に収容されても、あるいは、内容器３に収容された生ごみから水分が染み出ても、染み出る水分を下方に落とし、内容器３の内部に通気性を保たせるようになっている。
【００３９】
また、通気部１１は、逆円錐台状に形成されており、生ごみが貯まることが多い下方に、外容器２との空間をより確保することで、通気部１１の下方中央部においても悪臭が発生しないように通気性を保たせている。
【００４０】
また、通気部１１は、対向する外容器２の通気部８に対して少なくとも１〜２ｃｍ程度離れるように形成されて配設されている。
【００４１】
一方、保持部材１３の下端部には、複数の切り欠き１４，１４，…が形成されており、生ごみの収集時に集積所に設置した容器に生ごみを収容する際や掃除する際等、作業に応じてユーザが切り欠き１４に手をひっかけて内容器３と外容器２を簡単に取り外すことができるようになっている。
【００４２】
また、内容器３には、内容器３及び外容器２の両方の上面を覆い、かつ、保持部材１３の外部周面に嵌合するように形成された蓋４が設けられており、蓋４の上面中央には、把持部１５が形成され、ユーザが蓋４を簡単に開閉させることができるようになっている。
【００４３】
また、蓋４を内容器３に嵌めて、保持部材１３の外部側周面に沿って回転させることで、内容器３に蓋４を確実に密着させて固定させることができるようになっており、生ごみ容器１を戸外に設置した際に、風で蓋４が飛ばされたり、生ごみ容器１が転倒して生ごみ容器１に収容された生ごみを周囲に散乱させたり、あるいは生ごみ容器１の内部に雨水や害虫を浸入させることができないようになっている。
【００４４】
また、内容器３を使用する際には、内容器３の内部を覆うような通気性のある袋を設置するのが好ましく、以下、本実施形態においては、例えば紙袋１６を設置した場合についての説明を行っていくものとする。紙袋１６は、内容器３に設置されて生ごみを収容し、ユーザは生ごみを排出する際には、紙袋１６ごと生ごみを排出することができるようになっている。また、紙袋１６は、内容器３の通気部１１の格子と格子の間に形成される隙間に生ごみの目詰まりを生じさせないようになっているので、ユーザに生ごみを簡単に排出させることができる他に、内容器３及び外容器２の掃除を簡単に行わせることもできるようになっている。
【００４５】
また、紙袋１６の内部には、土（図示せず）を適量入れ、本実施形態においては内容器３に生ごみを収容した際に、生ごみ及び土壌に含まれる好気性細菌を始めとする微生物により生ごみを分解させて堆肥化を効率よく行わせることもできるようになっている。
【００４６】
次に、本実施形態の作用について説明する。
【００４７】
まず、図１に示すように内容器３を外容器２の内部に設置し、蓋４を固定した生ごみ容器１を戸外のできるだけ風通しがよく、日の当たりのよい場所に設置する。このとき、内容器３の内部に土を入れた紙袋１６を設置しておく。
【００４８】
ユーザが生ごみを内容器３に収容する際は、固定された蓋４を内容器３の外部周面に沿って回転させて開ける。そして、内容器３に水気をよく切った状態の生ごみを収容し、蓋４を固定するように閉める。
【００４９】
すると、生ごみから出た水分は土や紙袋１６等を伝って内容器３から染み出して、貯水部に溜まり、内容器３の内部の通気性が高まる。また、外容器２の側板６のほぼ全体に通気部８が形成されているので、内容器３の内部はさらに通気性が高まる一方、好気性細菌が活動しやすい適度な湿度が保たれる。
【００５０】
そして、内容器３の内部において、生ごみ及び土に存在する好気性細菌は、生ごみ及び空気中に含まれる水分と生ごみに含まれる有機物とを基に生ごみを分解して発酵を行い、堆肥に変化させる。
【００５１】
このとき、生ごみは、体積のうち７０％以上を水分から構成されているので、体積及び重量が大幅に減少して堆肥に変化する。そのため、生ごみ容器１では、発酵が行われない生ごみ容器及び従来と同程度の通気性を有して発酵が行われる生ごみ容器に比べて、次の生ごみの収集時までの間により多くの生ごみを収容することができる。従って、本発明の生ごみ容器１は、生ごみを収容して収容可能容積が減少したのにも関わらず、同様の容積を有する発酵が行われない生ごみ容器及び従来と同程度の通気性を有して発酵が行われる生ごみ容器に比べ、より多くの生ごみを収容することを可能にすることができ、生ごみの収集頻度を減らすことができる。
【００５２】
また、内容器３に収容される生ごみは外容器２の通気部８と内容器３の通気部１１により、常に通気性が保たれているため、嫌気性細菌は活動できず発酵をすることができない。従って悪臭を放つこともない。従って、生ごみ容器1の周辺に野生動物を招いて、生ごみを散乱させるような生活環境を悪化させることもない。
【００５３】
また、内容器３の通気部１１は、隣接する通気部８に対して少なくとも１〜２ｃｍ程度離れるように形成されているため、外容器２の通気部８に害虫が産卵した場合でも、内容器３内部の卵の栄養源となる生ごみと接触させず、卵を孵化させることがないため害虫の発生を抑えることができる。
【００５４】
また、悪臭の発生により、生ごみ容器1の周辺に野生動物を招いて、生ごみを散乱させるような生活環境を悪化させることもない。
【００５５】
そして、内容器３の収容限度まで生ごみあるいは堆肥物が貯まったら、ユーザは、生ごみ集積所に設置した容器に生ごみを排出したり、あるいは、戸別に生ゴミ収集車に排出する等して生ごみを排出する。
【００５６】
また、ユーザは適宜貯水部１７に溜まった水を排出したり、生ごみ容器１を掃除する等、生ごみ容器１の手入れを行う。
【００５７】
以上のように、本実施形態における生ごみ容器１では、公衆衛生環境上の問題や生活環境を悪化させる問題を生じさせず、より通気性を高めて悪臭を発生させずに生ごみを保管し、排出させることができるとともに、ユーザの使用に際して、一層便宜を図らせることができる。
【００５８】
また、本実施形態における生ごみ容器１では、大容量の生ごみを堆肥に変化させて長期間保管させることもでき、資源として排出する際に、生ごみの収集頻度を減らすこともできる。
【００５９】
また、本実施形態において、積極的に堆肥化を行わず、可燃ごみとして廃棄する際にも、悪臭を低下させることができ、上記した公衆衛生環境上の問題や生活環境を悪化させる問題を生じさせない他に、生ごみ収集に携わる人の労働環境を改善させることができる。また、水気をよくきることができるので、ごみ処理する際の処理費用や人件費等の生ごみ収集費用を低減させることもできる。
【００６０】
なお、本実施形態において、外容器２及び内容器３に通気部８及び通気部１１を形成することにより、生ごみ容器１としての強度に欠ける等の場合には、適宜補強部材を外容器２及び内容器３の通気部８及び通気部１１に沿って通してもよい。
【００６１】
また、本実施形態において、生ごみ容器を戸外のできるだけ風通しがよく日の当たりのよい場所に設置したが、団地等住居が隣接していてこのような場所に設置できない場合等には、屋内や日陰等に設置しても構わない。この場合、生ごみの堆肥に変化する速度が遅くなるが、前記した効果と同等の効果が十分に得られる。
【００６２】
また、本実施形態において、生ごみ容器１を使用する際に通気性のある袋の一例として紙袋１６を使用したが、通気性のある袋であればよい。また、紙袋１６を使用しなくてもよいし、紙袋１６の代わりに新聞紙等の通気性のある紙片を使用してもよい。この場合においても、前記した効果と同等の効果が十分に得られる。
【００６３】
また、本実施形態において、生ごみ容器１を使用する際、効率よく生ごみを堆肥に変化させるために、内容器３に土を入れたが、必ずしも土を入れなくてもよい。この場合、堆肥に変化する速度は遅くなるが、生ごみに付着している微生物により生ごみを堆肥化することは可能であり、前記した効果と同等の効果が十分に得られる。
【００６４】
また、土の代わりに米ぬかあるいは、コンポストプラントで生産される二次発酵後の堆肥を内容器３に入れてもよい。この際、土、又は米ぬか、堆肥を所定の割合で混合させたものを使用してもよい。いずれの場合においても、前記した効果と同等の効果が十分に得られる。
【００６５】
また、本実施形態において、図１に示すように、内容器３を外容器２の上部側板に挟持させて外容器２に保持させ、蓋４を内容器に固定させたが、図４に示すように、内容器３と同様に外容器２の上部側板９の上部先端を折り返し、その折り返し部分の上面に内容器３の保持部材１３の下部先端を載せて外容器２に保持させ、蓋４を内容器２と外容器３との両方に固定させてもよい。すなわち、内容器３を外容器２に保持させるとともに、生ごみ容器１に蓋４を嵌めた際に、蓋４と内容器３及び外容器２との間に隙間が生じないように密着して固定できるように形成されていればよい。
【図面の簡単な説明】
【００６６】
【図１】図１は本発明に係る生ごみ容器の実施の形態を示す断面図である。
【図２】図２は外容器の斜視図である。
【図３】図３は内容器の斜視図である。
【図４】図４は生ごみ容器の一部の断面図である。
【符号の説明】
【００６７】
１  生ごみ容器
２  外容器
３  内容器
４  蓋
５  底板
６  側板
７  底部側板
８  通気部
９  上部側板
１１  通気部
１２  上部側板
【図１】
2005270712.tif 000003
【図２】
2005270712.tif 000004
【図３】
2005270712.tif 000005
【図４】
2005270712.tif 000006